(57)【特許請求の範囲】
【請求項１】
化粧料が充填されたレフィルを嵌入保持して陳列するための凹部と、上記凹部の開口縁から側方に延びて凹部開口を囲う陳列面部と、上記陳列面部の周端縁から垂下する側周面部と、上記側周面部の下端縁の少なくとも一個所から延設され、これを上向きに折り返した状態でその先端が上記陳列面部より高く突出するよう設定された突出片と、上記凹部底面に形成された少なくとも一つの穴とを備え、全体が一枚のシートからなるシート成形品によって構成されていることを特徴とする陳列用中皿。
【請求項２】
上記凹部底面のうち、少なくとも一つの穴が設けられた部分を含む所定領域Ｐが、それ以外の部分より深くなるよう段落としされている請求項１記載の陳列用中皿。
【請求項３】
上記凹部底面に形成される穴が少なくとも二つであり、それらの穴を利用して、盗難防止用の紐がかけられるようになっている請求項１または２記載の陳列用中皿。
【請求項４】
上記陳列用中皿が、中皿との係合用凹凸が形成された陳列台上に陳列されるものであって、上記陳列用中皿の凹部底面のうち、所定領域Ｑが、それ以外の部分より深くなるよう段落としされており、その段落とし部分が、上記陳列台の、中皿との係合用凹凸に係合するようになっている請求項１〜３のいずれか一項に記載の陳列用中皿。
【請求項５】
上記シート成形品のシートとして、透明シートに半透明もしくは非透明の着色を施したものが用いられており、段落としされた所定領域Ｑにおけるシートの透明度が、陳列面部におけるシートの透明度に比べて高くなっている請求項４記載の陳列用中皿。
【発明の詳細な説明】
【技術分野】
【０００１】
本発明は、化粧料が充填されたレフィルを陳列するために用いられる陳列用中皿に関するものである。
【背景技術】
【０００２】
従来から、口紅、ファンデーション等の各種の化粧料は、店頭で実際に顧客が自分の唇や肌に塗ってその感触や色調を試してみてから購入することが多いため、完全に包装された商品とは別に、いわゆるテスター用化粧料を用意して店頭に陳列することがよく行われている。
【０００３】
このようなテスターの陳列は、例えば図９に示すように、ファンデーション等のテスター用化粧料１を、金皿等の簡易容器２に充填してレフィル３とし、このレフィル３を陳列用中皿４に嵌入保持して、パレット等の陳列台５に並べて行うようになっている。
【０００４】
上記陳列用中皿４は、一般に、射出成形等による樹脂成形品からなり、陳列台（パレット、陳列什器の棚板等を含む。以下同じ）５の上に、前後左右隙間なく並べることができるように、平面視が正方形もしくは長方形の略板状の外形を有し、その断面図である図１０に示すように、レフィル３を嵌入保持するための凹部６と、その周囲を囲う枠状部７とを備えている。そして、上記枠状部７上面の、前後の幅広部に、凹部６内に保持されているテスター用化粧料１の品番や商品説明等が表示されるようになっている（図９参照）。なお、陳列用中皿４の四隅のうち、その一角は斜めに切り欠かれており、この切欠き部７ａを利用して、隙間なく並ぶ陳列用中皿４のうちの一つを、簡単に取り出すことができるようになっている。また、８（図１０に戻る）はレフィル取り出し用の穴で、この穴８に下方から筆記具等の棒状体を差し込んでレフィル３の下面を押し上げることにより、簡単にレフィル３を取り出せるようになっている。
【０００５】
ところで、最近、上記テスター用化粧料１が、実際の商品と実質的に同じものであることから、人気のあるものが店頭から勝手に持ち去られてしまうという事態が頻発して問題となっている。
【０００６】
そこで、盗難防止のために、本出願人は、例えば図１１に示すように、上記陳列用中皿４において、レフィル取り出し用の穴８とは別に、その凹部６の底面に、中央で水平方向に仕切られた長穴９を設けるとともに、上記陳列用中皿４を並べて陳列するための陳列台５側にも穴１０を設け、この長穴９と陳列台５側の穴１０とを利用して、両者の間に紐１１をかけることにより、陳列用中皿４を陳列台５に固定することができるようにしたものを開発し、すでに出願している（特許文献１を参照）。
【先行技術文献】
【特許文献】
【０００７】
【特許文献１】特開２００８−１１０１５４公報
【発明の概要】
【発明が解決しようとする課題】
【０００８】
しかしながら、射出成形によって、このような長穴９付の陳列用中皿４を得るには、複雑な金型が必要となり、コストが高くなるという問題がある。また、陳列什器の棚板等に多数の陳列用中皿４を並べると、全体重量が重くなるため、棚板の取り付け部に大きな荷重がかかって損傷を招きやすいという問題もある。
【０００９】
本発明は、このような事情に鑑みなされたもので、非常に軽く、安価で、盗難防止機能についても簡単に付加することのできる陳列用中皿の提供をその目的とする。
【課題を解決するための手段】
【００１０】
上記の目的を達成するため、本発明は、化粧料が充填されたレフィルを嵌入保持して陳列するための凹部と、上記凹部の開口縁から側方に延びて凹部開口を囲う陳列面部と、上記陳列面部の周端縁から垂下する側周面部と、上記側周面部の下端縁の少なくとも一個所から延設され、これを上向きに折り返した状態でその先端が上記陳列面部より高く突出するよう設定された突出片と、上記凹部底面に形成された少なくとも一つの穴とを備え、全体が一枚のシートからなるシート成形品によって構成されている陳列用中皿を第１の要旨とする。
【００１１】
また、本発明は、そのなかでも、特に、上記凹部底面のうち、少なくとも一つの穴が設けられた部分を含む所定領域Ｐが、それ以外の部分より深くなるよう段落としされている陳列用中皿を第２の要旨とし、それらのなかでも、特に、上記凹部底面に形成される穴が少なくとも二つであり、それらの穴を利用して、盗難防止用の紐がかけられるようになっている陳列用中皿を第３の要旨とする。
【００１２】
さらに、本発明は、上記陳列用中皿が、中皿との係合用凹凸が形成された陳列台上に陳列されるものであって、上記陳列用中皿の凹部底面のうち、所定領域Ｑが、それ以外の部分より深くなるよう段落としされており、その段落とし部分が、上記陳列台の、中皿との係合用凹凸に係合するようになっている陳列用中皿を第４の要旨とし、そのなかでも、特に、上記シート成形品のシートとして、透明シートに半透明もしくは非透明の着色を施したものが用いられており、段落としされた所定領域Ｑにおけるシートの透明度が、陳列面部におけるシートの透明度に比べて高くなっている陳列用中皿を第５の要旨とする。
【発明の効果】
【００１３】
すなわち、本発明の陳列用中皿は、全体が一枚のシートからなるシート成形品によって構成されているため、非常に軽量で、コスト的にも安価である。しかも、これを陳列台の上面に隙間なく並べても、そのうちの一個を簡単に取り出すための突出片が、一体的に設けられているため、従来の、一角が切り欠かれた射出成形品と同様、簡単に取り出すことができ、不便さを感じることがない。また、レフィル嵌入保持用凹部の底面に、少なくとも一つの穴が形成されているため、この穴の下から、筆記具等の棒状体を差し込んで凹部内からレフィルを取り出すことができるため、従来の射出成形品と同様、使い勝手がよい。しかも、非常に安価であるため、レフィルを嵌入保持した凹部周囲の陳列面が汚れたり、その部分の表示を変える必要が生じた場合には、即座に新しい陳列用中皿と交換することができ、陳列面の清掃や、シール等による表示の貼り替え作業等の負担を大幅に軽減することができるという利点を有する。
【００１４】
なお、本発明において、特に、上記凹部底面のうち、少なくとも一つの穴が設けられた部分を含む所定領域Ｐが、それ以外の部分より深くなるよう段落としされている陳列用中皿は、段落としによって、穴の周辺領域における強度が高まるため、穴の開口縁やその周囲が歪んだり亀裂が入ったりしにくくなり、耐久性が高まるという利点を有する。
【００１５】
また、本発明において、特に、上記凹部底面に形成される穴が少なくとも二つであり、それらの穴を利用して、盗難防止用の紐がかけられるようになっている陳列用中皿は、全体が軽量で安価である上に、優れた盗難防止機能を発揮するため、より効果的である。しかも、それらの穴に盗難防止用の紐をかけても、紐の厚みが、凹部内に嵌入保持されたレフィルの位置に影響しないため、凹部のレフィル上面がその周囲の陳列面から浮き上がることなく、美麗に陳列することができるという利点を有する。
【００１６】
さらに、本発明において、特に、上記陳列用中皿が、中皿との係合用凹凸が形成された陳列台上に陳列されるものであって、上記陳列用中皿の凹部底面のうち、所定領域Ｑが、それ以外の部分より深くなるよう段落としされており、その段落とし部分が、上記陳列台の、中皿との係合用凹凸に係合するようになっている陳列用中皿は、上記段落とし部分によって、全体形状が崩れにくく、耐久性が向上するだけでなく、陳列台上で陳列用中皿の配置を、陳列台との係合によって固定することができるため、陳列用中皿の陳列作業や入れ替え作業がしやすいという利点を有する。
【００１７】
そして、特に、上記シート成形品のシートとして、透明シートに半透明もしくは非透明の着色を施したものが用いられており、段落としされた所定領域Ｑにおけるシートの透明度が、陳列面部におけるシートの透明度に比べて高くなっているものは、デザイン性やアイキャッチ効果の観点から、上記陳列面部は濃い着色で透明性が低くなっていても、上記所定領域Ｑの透明度が高くなっているため、陳列台上に陳列用中皿を配置する場合、上記透明度の高い段落とし部分（Ｑ）を透かして、上記陳列台に設けられた係合用凹凸の位置をみながら陳列用中皿を配置することができるため、その作業がしやすいという利点を有している。
【図面の簡単な説明】
【００１８】
【図１】本発明の一実施例を示す外観斜視図である。
【図２】（ａ）は上記実施例の平面図、（ｂ）はそのＡ−Ａ′断面図、（ｃ）はそのＢ−Ｂ′断面図、（ｄ）はそのＣ−Ｃ′断面を部分的に示す説明図である。
【図３】上記実施例を裏返した状態を示す斜視図である。
【図４】上記実施例の陳列形態の説明図である。
【図５】（ａ）、（ｂ）は、ともに上記実施例の変形例を示す説明図である。
【図６】上記変形例の陳列形態の説明図である。
【図７】上記実施例の他の変形例を示す説明図である。
【図８】（ａ）、（ｂ）は、ともに上記実施例のさらなる変形例を示す説明図である。
【図９】従来の陳列用中皿とその陳列形態の一例を示す説明図である。
【図１０】上記従来例の縦断面図である。
【図１１】従来の、盗難防止機能付き陳列用中皿の説明図である。
【発明を実施するための形態】
【００１９】
つぎに、本発明を実施するための形態について説明する。ただし、本発明は、この実施の形態に限るものではない。
【００２０】
図１は、本発明の陳列用中皿の一実施の形態を示している。また、図２（ａ）は、その平面図、図２（ｂ）は、そのＡ−Ａ′断面図、図２（ｃ）はそのＢ−Ｂ′断面図、図２（ｄ）はそのＣ−Ｃ′断面を部分的に示す説明図である。これらの図において、２０は、半透明の銀色光沢を有する樹脂シート（厚み０．５ｍｍの透明ポリエステルシートの表面にアルミニウム蒸着層を形成したもの）を、シート成形によって一体的に賦形してなる陳列用中皿である。この陳列用中皿２０は、賦形された外形が、平面視正方形状の略板状で、従来の陳列用中皿と同様、レフィルを嵌入保持するための凹部２１と、その凹部２１の開口縁から側方に延びてその開口を囲う陳列面部２２と、上記陳列面部２２の周端縁から垂下する側周面部２３とを備えている。そして、上記側周面部２３のうち、一つの角部が、平面視４５°の角度で斜めに面取りされた形状になっており、その面取り部２３ａの下端縁からべろ状の突出片２４が延設されている。なお、この突出片２４の長さは、これを上向きに折り返したとき、その先端が上記陳列面部２２より高く突出する長さに設定されている。
【００２１】
また、上記陳列用中皿２０の凹部２１の開口縁部には、レフィル（図９参照）の入り勝手を考慮して、その全周にわたって、約４５°のテーパ３０がつけられている。そして、上記凹部２１の底面のうち中央部３１は、側周面部２３の途中までの深さになっており、同じく凹部２１の底面のうち周縁部３２（図２〔ａ〕において斜線で示す領域Ｑ）は、段落としされて、側周面部２３の下端まで到達する深さになっている。
【００２２】
さらに、上記陳列用中皿２０の凹部２１において、段落としされていない中央部３１に、大小二つの穴２５、２６が形成されており、これらの形成部分（図２〔ａ〕において斜線で示す領域Ｐ）が、浅く段落としされている。この段落とし部分の段差の幅は、通常、０．５〜１．５ｍｍ程度である。この段落としによって、穴２５、２６の周囲が補強され、穴２５、２６の開口縁部が反って歪んだり割れたりすることを防止することができる。
【００２３】
上記２つの穴２５、２６のうち、大きい方の穴２５は、陳列用中皿２０の裏面側から筆記具等の棒状体を差し込んで、凹部２１内に嵌入保持されるレフィル（図示せず）の下面を押し上げてレフィルを取り出すのに用いられる穴である。また、小さい方の穴２６は、穴２５とともに、盗難防止用の紐をかけるのに用いられる穴で、例えば図２（ｄ）に鎖線で示すように、盗難防止用の紐１１をかけるための２個一対の穴１０が設けられた陳列台５に、この陳列用中皿２０を並べて陳列する際、その穴１０と、陳列用中皿２０の穴２５、２６との間に、紐１１をかけることによって、盗難防止機能をもたせることができる。
【００２４】
ちなみに、上記大きい方の穴２５は、筆記具の先端等、棒状の部分を差し込む必要があることから、その穴径は、例えば２〜１５ｍｍ、なかでも５〜１０ｍｍ程度に設定することが好適である。また、小さい方の穴２６は、盗難防止用の紐１１を通すことができればよいのであり、その穴径は、例えば１〜１０ｍｍ、なかでも２〜５ｍｍ程度に設定することが好適である。すなわち、二つの穴２５、２６が大きすぎると、凹部２１の底面強度が弱くなるおそれがあり、逆に、二つの穴２５、２６が小さすぎると、筆記具等や紐１１を通しにくくなり、好ましくない。
【００２５】
また、上記陳列用中皿２０の凹部２１において、深く段落としされた周縁部３２（領域Ｑ）は、陳列用中皿２０を裏返して見た図３に示すように、この部分が四角枠状に突出しており、この突出部を利用して、陳列台の上面に、陳列用中皿２０を位置決め固定することができるようになっている。
【００２６】
より具体的に説明すると、例えば図４に示すように、その陳列面に、上記陳列用中皿２０を係止するための中皿係合用凹凸として、円柱状の小突起４１が所定間隔で上向きに突出形成された陳列台５′を用意する。そして、この陳列台５′の小突起４１に、上記陳列用中皿２０の、段落としされた四角枠状の周縁部３２を係合させることによって、鎖線で示すように、陳列用中皿２０を位置決め固定しながら並べることができる。
【００２７】
なお、陳列台によっては、その陳列面に、前後左右に所定間隔で延びる格子状の突条からなる中皿係合用凹凸が設けられているものがある。その場合は、例えば図５（ａ）に示すように、上記突条を跨いで陳列用中皿２０を位置決め固定することができるように、上記陳列用中皿２０の四角枠状の周縁部３２の下面に、部分的に細幅の突条３２ａをさらに突出形成し、この突条３２ａの立ち上がり端面４２と、陳列台側の格子状突条とを係合させることによって、陳列用中皿２０を陳列台に位置決め固定することができる。
【００２８】
また、図５（ｂ）に示すように、周縁部３２の下面に、陳列台側の格子状の突条と個別に係合する溝部４３を賦形して、この溝部４３を、図６に示すように、陳列台５″側の格子状突条４４と係合させることによって、陳列用中皿２０を陳列台５″に位置決め固定するようにしてもよい。
【００２９】
上記構成の陳列用中皿２０によれば、全体が一枚のシートからなるシート成形品によって構成されているため、非常に軽量で、コスト的にも安価である。しかも、これを陳列台の上面に隙間なく並べても、そのうちの一個を簡単に取り出すための突出片２４が、その角部に一体的に設けられているため、従来の、一角が切り欠かれた射出成形品と同様、これを簡単に取り出すことができ、不便さを感じることがない。
【００３０】
また、凹部２１の底面に、穴２５、２６が形成されているため、穴２５に筆記具等の棒状体を差し込むことによって凹部２１内に嵌入保持されたレフィルを取り出すことができ、穴２５、２６を利用して、盗難防止用の紐１１をかけることができるようになっている。したがって、従来の射出成形品と同様、使い勝手がよい。しかも、非常に安価であるため、凹部２１を囲う陳列面部２２が汚れたり、その部分の表示を変える必要が生じた場合には、即座に新しい陳列用中皿と交換することができ、陳列面の清掃や、シール等による表示の貼り替え作業等の負担を大幅に軽減することができるという利点を有する。
【００３１】
そして、上記穴２５、２６が設けられた部分を含む所定領域Ｐが、それ以外の部分より深くなるよう段落としされているため、この段落としによって、穴２５、２６の周囲が補強されることになり、穴２５、２６の開口縁やその周囲が歪んだり割れたりしにくくなり、耐久性が高まるという利点を有する。また、上記穴２５、２６に紐１１をかけても、この段落としによって、紐１１の厚みが凹部２１内のレフィルに影響しないため、陳列面の平面性が保たれるという利点を有する。
【００３２】
さらに、上記陳列用中皿２０の凹部２１の底面のうち、周縁部３２が、中央部３０より深くなるよう段落としされているため、全体形状が崩れにくく、耐久性が向上する。しかも、その段落とし部分が、陳列用中皿２０を陳列する陳列台の、中皿係合用凹凸と係合するようになっているため、陳列台上における陳列用中皿２０の配置を、陳列台との係合によって固定することができ、陳列用中皿２０の陳列作業や入れ替え作業がしやすいという利点を有する。
【００３３】
また、この陳列用中皿２０は、透明ポリエステルシートの表面にアルミニウム蒸着層を形成してなるシートを、一体的に賦形してなるものであり、陳列時に、最も顧客の目につく陳列面部２２が、銀色の光沢色に輝き、見栄えがよい。そして、シート成形によって賦形されているため、凹凸の変形が大きい部分ほど、シートの厚みが薄くなって、シートの色も薄くなり、凹部２１底面の周縁部３２の、段落としされた部分が、最も薄く殆ど透明色になっている。したがって、この段落とし部分を、前記陳列台５′等の、中皿係合用凹凸（図４における小突起４１や図６における突条４４等）に係合させる場合、この段落とし部分から、その下の中皿係合用凹凸を透かしてみながら係合させることができ、陳列用中皿２０を配置する作業を効率よく行うことができる。
【００３４】
なお、上記の例では、陳列用中皿２０を形成するために、アルミニウム蒸着層を有するポリエステルシートを用いたが、シートの材質は、加熱により軟化して加工することができるものであれば、ポリエステル以外にも、ポリ塩化ビニル、ポリエチレン、ポリプロピレン、ポリスチレン、ハイインパクトポリスチレン等を好適に用いることができる。そして、その着色も、アルミニウム蒸着によって銀色光沢を付与する以外に、各種着色シートの転写や塗装、印刷等による着色が可能である。もちろん、樹脂シートとして、予め着色剤によって着色された樹脂シートを用いても差し支えない。そして、上記の例のように、金属光沢を付与したものは、全体がシート成形品であるにもかかわらず、その光沢によって、一見、射出成形品のような質感が得られるため、好適である。
【００３５】
また、上記の例では、材料である樹脂シート全体が単一色であり、シート成形による賦形時に、シートの変形に応じて色が薄くなって透明度が高くなることを特徴としているが、全体がマーブル調の色彩のものや、部分的に透明度が異なるもの等を材料として用い、シート成形時の色調や透明度の変化によって、より複雑な色模様を得るようにしても差し支えない。
【００３６】
なお、本発明において、材料である樹脂シートを賦形するためのシート成形としては、真空成形、圧空成形、真空圧空成形等があげられ、シートの種類に応じて、適宜の成形法を選択することができる。そして、用いる樹脂シートの厚みも、上記の例では、０．５ｍｍのものを用いたが、陳列用中皿２０の大きさや付与する形状、成形法に応じて、適宜の厚みを選択することができる。
【００３７】
そして、上記の例では、陳列用中皿２０を取り出すための突出片２４を、側周面部２３（図１参照）の一つの角部に設けられた面取り部２３ａの下端縁から上向きに延設したが、上記突出片２４は、側周面部２３の下端縁のどの部分から延設しても差し支えない。例えば、図７に示すように、上記の例のように面取り部２３ａを設けることなく、側周縁部２３の、角と角の間の一個所から延設してもよい。また、この突出片２４の数は、一つに限らず、二つ以上設けてもよい。
【００３８】
この突出片２４の長さは、すでに述べたように、これを上向きに折り返した状態において、その先端が、陳列用中皿２０の陳列面部２２より高く上方に突出する長さであることが必要である。その突出部を指先で把持してつまみ上げることができなければならないからである。したがって、上記突出片２４の、陳列面部２２より高く突出する部分の長さは、例えば３〜２０ｍｍ、なかでも５〜１０ｍｍ程度であることが好適である。そして、突出片２４の左右方向の幅は、５〜１５ｍｍ、なかでも８〜１２ｍｍ程度であることが好適である。上記の範囲内であれば、突出部をつまみやすく、かつ陳列時に陳列の邪魔になりにくいからである。
【００３９】
さらに、陳列用中皿２０の凹部２１底面における穴２５、２６は、中央に設けるより、隅に寄っている方が、強度的に好ましい。ただし、必ずしも、上記の例のように、穴を２個設ける必要はなく、盗難防止機能をもたせない場合は、例えば図８（ａ）に示すように、レフィル取り出し用の穴２５を１個設けるだけでも差し支えない。また、図８（ｂ）に示すように、盗難防止用の穴２６′を、底面の片隅に２個一対で設け、その反対側の隅に、レフィル取り出し用の穴２５を設けるようにしても差し支えない。そして、これらの場合も、穴２５等の周囲を、段落とししておくことが、穴２５等の開口縁の歪みや割れを防止する上で好ましい。上記段落としする領域を、斜線Ｐで示す。
【００４０】
また、本発明において、陳列用中皿２０の外形や、凹部２１の形状は、その中に嵌入保持するレフィルの形状に応じて、適宜に設定することができる。例えば、上記の例では、この陳列用中皿２０は、平面視が正方形状の略板状であるが、平面視が正方形以外の多角形状や、円形、楕円形等であっても差し支えない。
【００４１】
そして、上記陳列用中皿２０の凹部２１に嵌入保持させるレフィルとしては、金皿や樹脂皿にファンデーション等の化粧料を充填したテスター品に限らず、実際の商品であるレフィルであっても差し支えない。
【産業上の利用可能性】
【００４２】
本発明は、口紅、ファンデーション等の化粧料が充填されたレフィルを、テスターとして陳列する際に用いられる陳列用中皿として利用することができる。
【符号の説明】
【００４３】
２０  陳列用中皿
２１  凹部
２２  陳列面部
２３  側周面部
２４  突出片
２５，２６  穴
【図１】
0005432695.tif 000002
【図２】
0005432695.tif 000003
【図３】
0005432695.tif 000004
【図４】
0005432695.tif 000005
【図５】
0005432695.tif 000006
【図６】
0005432695.tif 000007
【図７】
0005432695.tif 000008
【図８】
0005432695.tif 000009
【図９】
0005432695.tif 000010
【図１０】
0005432695.tif 000011
【図１１】
0005432695.tif 000012